(57)【要約】      （修正有）【課題】座部の側面部を接触させた状態で複数の椅子を配置することによって、美感に優れたベンチ、ソファを形成させる。【解決手段】平面形態が五角形の形態からなる座部２と、当該座部２を形成する五角形の辺のうち一番長い長さを有する辺のところに直立状に形成される背当部１と、上記座部２の底面部に設けられるものであって、上記座部２の平面形態と同一の五角形平面形態からなるとともにキャスタの取付基盤となるベース部材２５と、当該ベース部材２５の所定箇所に取付けられるものであって着座者の自重にてロックする機能を有する複数のキャスタ３と、上記ベース部材２５の下方部に、上記キャスタ３を囲むように設けられるものであって、ひのき材にて形成されるスカート部５と、からなる。【選択図】図１
2018143499.tif 000002
【特許請求の範囲】
【請求項１】
平面形態が五角形の形態からなる座部と、当該座部を形成する五角形の辺のうち一番長い長さを有する辺のところに直立状に形成される背当部と、上記座部の底面部に設けられるものであって、上記座部の平面形態と同一の五角形平面形態からなるとともにキャスタの取付基盤となるベース部材と、当該ベース部材の所定箇所に取付けられるものであって着座者の自重にてロックする機能を有する複数のキャスタと、上記ベース部材の下方部に上記キャスタを囲むように設けられるものであって、ひのき材にて形成されるスカート部と、からなることを特徴とする五角形平面形態を有する椅子。
【請求項２】
請求項１記載の五角形平面形態を有する椅子において、上記複数のキャスタを囲むように設けられるスカート部を、ひのき材からなるチップ状のものを所定の圧力の基で所定の厚さを有する板状の形態に形成させるようにした、木質加工板を基礎に形成させるようにしたことを特徴とする五角形平面形態を有する椅子。
【請求項３】
請求項１または請求項２記載の五角形平面形態を有する椅子において、上記座部の平面形態を、最も長い長さを有する辺を基礎辺とし、この基礎辺の中央部のところから垂直状に所定の高さを有するところに形成される頂点を基礎に、この頂点から９０°以上の開き角を有するように形成されるとともに同じ長さを有するように形成される二つの傾斜辺を設け、これら各傾斜辺のそれぞれの先端部のところから垂直状に、かつ、それぞれ所定の同じ長さを有するように形成される連結辺を設け、これら各連結辺の延長部が上記基礎辺の両端部と交わることによって形成される五角形からなるようにしたことを特徴とする五角形平面形態を有する椅子。
【発明の詳細な説明】
【技術分野】
【０００１】
本発明は、平面形態が五角形の形態を有するとともに、その座部の下面部には所定のキャスタを有する移動が簡単な五角形の平面形態を有するキャスタ付きの椅子に関するものである。
【背景技術】
【０００２】
従来の、キャスタ付きの椅子あるいはスツールは、例えば特開２００８−７９６７８号公報（特許文献１）または特開２０１４−２３９７８７号公報（特許文献２）等に挙げられる如く、その平面形態が円形または四角形等からなるものである。そして、このような平面形態を有する椅子の座部を形成する、その底面部のところには、所定のキャスタが取付けられ、このキャスタを介して椅子全体を所定の位置へと移動させ、これら椅子群の展開（設置）あるいは収納等が行なわれるようになっているものである。
【先行技術文献】
【特許文献】
【０００３】
【特許文献１】特開２００８−７９６７８号公報
【特許文献２】特開２０１４−２３９７８７号公報
【発明の概要】
【発明が解決しようとする課題】
【０００４】
ところで、上記従来のものは、椅子またはスツールとして単独で存在する場合には特に問題は無いが、これら椅子が複数個組み合わされた状態で置かれる場合には、その配置（設置）パターンが単純な形態に限定されざるを得ない言う問題（不満）がある。すなわち、平面形態が四角形のものを集合させて設置（配置）したとしても、その配置パターンは単純な横長状の形態か、または、広い平面面積を有する四辺形の枠状形態を形成するに過ぎない。このような問題点（不満）を解決するために、本願発明においては、平面形態が五角形の形態からなる椅子を形成させ、このような五角形椅子を基礎に、これらを複数個連結した状態で配置（設置）することによって、施設のロビー等におけるソファ、椅子の配置パターンを、美観に優れた、かつ、機能的にも優れた状態に形成させることができるようになる。このような優れた配置パターンを形成させるための基礎となる五角形の平面形態を有する椅子を提供しようとするのが、本発明の目的（課題）である。
【課題を解決するための手段】
【０００５】
上記課題を解決するために、本願発明においては次のような手段を講ずることとした。すなわち、請求項１記載の発明である第一の発明においては、五角形平面形態を有する椅子に関して、平面形態が五角形の形態からなる座部と、当該座部を形成する五角形の辺のうち一番長い長さを有する辺のところに直立状に形成される背当部と、上記座部の底面部に設けられるものであって、上記座部の平面形態と同一の五角形平面形態からなるとともにキャスタの取付基盤となるベース部材と、当該ベース部材の所定箇所に取付けられるものであって着座者の自重にてロックする機能を有する複数のキャスタと、上記ベース部材の下方部に上記キャスタを囲むように設けられるものであって、ひのき材にて形成されるスカート部と、からなるようにした構成を採ることとした。
【０００６】
次に、請求項２記載の発明である第二の発明においては、請求項１記載の五角形平面形態を有する椅子に関して、上記複数のキャスタを囲むように設けられるスカート部を、ひのき材からなるチップ状のものを所定の圧力の基で所定の厚さを有する板状の形態に形成させるようにした、木質加工板を基礎に形成させるようにした構成を採ることとした。
【０００７】
次に、請求項３記載の発明である第三の発明においては、請求項１または請求項２記載の五角形平面形態を有する椅子に関して、上記座部の平面形態を、最も長い長さを有する辺を基礎辺とし、この基礎辺の中央部のところから垂直状に所定の高さを有するところに形成される頂点を基礎に、この頂点から９０°以上の開き角を有するように形成されるとともに同じ長さを有するように形成される二つの傾斜辺を設け、これら各傾斜辺のそれぞれの先端部のところから垂直状に、かつ、それぞれ所定の同じ長さを有するように形成される連結辺を設け、これら各連結辺の延長部が上記基礎辺の両端部と交わることによって形成される五角形からなるようにした。
【発明の効果】
【０００８】
請求項１記載の発明である第一の発明のものにおいては、複数の椅子を持って来て、それぞれの椅子の五角形からなる座部の適当な辺どうしを接するように設置（配置）することによって、複数の椅子が横方向に湾曲した状態で連なった形態のベンチあるいはソファが形成されることとなる。なお、このような配置パターンの変更等は、椅子の底面部に設けられ、通常はロック機能が解除されるようになっているキャスタの作用により、少ない労力にて円滑に行なうことができる。更には、このようにして設置される椅子には、ひのき材からなるスカート部が設けられていることより、このひのき材が発する防臭機能及び防虫機能により、設置場所に、より良い環境を提供することができることとなる。
【０００９】
また、請求項２記載の発明である第二の発明のものにおいては、上記キャスタを囲むように形成されるスカート部が、防臭機能及び防虫機能を発揮するひのき材を基礎としたチップ状木材の圧縮成形材にて形成されるようになっていることより、廃材の利用が可能となり、森林資源のより効果的な活用が成されることとなる。
【００１０】
また、請求項３記載の発明である第三の発明のものにおいては、座部の平面形態がバランスの良い五角形を基礎に形成されていることより、このような五角形の一片を接合させることによって、椅子の連結によって形成されるベンチあるいはソファの形態を、設置される場所の雰囲気に合致させた状態で効率良く提供することができるようになる。
【図面の簡単な説明】
【００１１】
【図１】本発明の全体構成を示す展開斜視図である。
【図２】本発明の主要部を成すキャスタの取付状態を示す図である。
【図３】本発明の全体構成を示す一部断面図である。
【図４】本発明の主要部を成す座部の平面形態を示す図である。
【図５】本発明にかかるスカート部及びキャスタの取付状態を示す一部断面図である。
【図６】本発明にかかる複数の椅子を連結して所定の形態に展開させた状態を示す図である。
【発明を実施するための形態】
【００１２】
本発明を実施するための形態について、図１ないし図６を基に説明する。本実施の形態にかかるものは、例えば図１に示す如く、平面形態が五角形からなる座部２を基礎に形成されるものである。すなわち、本実施の形態にかかるものは、平面形態が五角形の形態からなる座部２と、当該座部２を形成する五角形の辺のうち一番長い長さを有する辺のところに直立状に形成される背当部１と、上記座部２の底面部に設けられるものであって、上記座部２の平面形態と同一の五角形平面形態からなるとともにキャスタの取付基盤となるベース部材２５と、当該ベース部材２５の所定箇所に取付けられるものであって着座者の自重にてロックする機能を有する複数のキャスタ３と、上記ベース部材２５の下方部に上記キャスタ３を囲むように設けられるものであって、ひのき材にて形成されるスカート部５と、からなることを基本とするものである。
【００１３】
このような構成からなるものにおいて、本椅子の基礎となる座部２は、例えば図２または図３に示す如く、平面形態が五角形からなる箱状体の本体部２２と、当該本体部２２の上側に設けられるクッション部２１と、上記本体部２２の底面部に設けられるものであって、所定の積層合板等にて形成されるベース部材２５と、からなるものである。このような構成からなる平面形態が五角形からなる座部２の上方部であって、上記五角形の各辺のうち一番長い値を有する辺のところには、直立状に背当部１が設けられるようになっている。これら背当部１及び座部２によって本実施の形態における椅子が構成されるようになっている。
【００１４】
このような構成からなる上記座部２の底面部のところには同じく平面形態が五角形からなるベース部材２５が設けられるようになっている。このベース部材２５は、木製の合板等にて形成されているものである。なお、上記座部２及びベース部材２５の五角形形状としては、例えば図４に示すようなものが挙げられる。このものは、最も長い長さ（Ａ）を有する辺を基礎辺とし、この基礎辺の中央部のところから垂直状に所定の高さ（Ｈ）を有するところに形成される頂点（Ｙ）を基点にして、この頂点（Ｙ）から９０°以上の開き角を有するように形成されるとともに同じ長さ（Ｂ）を有するように形成される二つの傾斜辺を設け、これら各傾斜辺のそれぞれの先端部のところから垂直状に、かつ、それぞれ所定の同じ長さ（Ｃ）を有するように形成される連結辺を設け、これら各連結辺の延長部が上記基礎辺の両端部と交わることによって形成される五角形からなるようにしたものである。
【００１５】
このような平面形態からなるベース部材２５のところには、所定の機能を有するキャスタ３が設けられるようになっている。なお、このキャスタ３は、図２に示す如く、平面形態が五角形を形成する各頂点となる角部のところに設置されるようになっている。そして更に、このようにして５個のキャスタ３が取付けられたベース部材２５及び座部２の周りには、上記それぞれのキャスタ３を囲むようにスカート部５が設けられるようになっている。なお、このスカート部５は、防臭機能及び防虫機能を有するひのき材にて形成されるようになっている。特に、本実施の形態においては、上記ひのき材としては、廃材等からなるチップ状木材を原料に、これらを所定の手段にて圧縮成形加工することによって得られる合板を用いることとしている。
【００１６】
このような構成からなるベース部材２５のところに設けられるキャスタ３は、図５に示す如く、ホイール３１と、当該ホイール３１の回転運動を支持するとともに、上記ベース部材２５への取付に寄与するステイ３２と、上記ホイール３１の回転運動を一定の条件下にロックする（止める）ブレーキ３５と、からなることを基本とするものである。このような基本構成からなるものにおいて、上記ブレーキ３５の構成は、本椅子の座部２上に人が着座することによって、その者の自重によりブレーキ機能が作用してホイール３１の回転運動が止められるようになっているものである。すなわち、本キャスタ３は、着座者の自重により自動的にロック機能が発揮されるようになっているものである。
【００１７】
このような構成からなる複数の椅子を座部２の側面部を形成する五角形のうちの一辺どうしを接触させた状態で設置することによって、例えば図６に示すような、優れた美感を呈するベンチ、あるいはソファが形成されることとなる。
【符号の説明】
【００１８】
１  背当部
２  座部
２１  クッション部
２２  本体部
２５  ベース部材
３  キャスタ
３１  ホイール
３２  ステイ
３５  ブレーキ
５  スカート部
【図１】
2018143499.tif 000003
【図２】
2018143499.tif 000004
【図３】
2018143499.tif 000005
【図４】
2018143499.tif 000006
【図５】
2018143499.tif 000007
【図６】
2018143499.tif 000008